【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
コンピュータシステムが、データオブジェクトセット内の特定のデータオブジェクトに対して操作を実行する方法であって、
前記データオブジェクトセット内の少なくとも１つの特定のデータオブジェクトタイプに適用される、前記のデータオブジェクトタイプの少なくとも１つのデータオブジェクトにおいて実行されるタスクを含む少なくとも１つのルールによって特定されるタスクを実行することにより、前記データオブジェクトセット内の少なくとも１つのデータオブジェクトが前記特定のデータオブジェクトタイプであることを判定することと、
前記ルールによって特定されるタスクを実行することにより、前記特定のデータオブジェクトタイプであると判定された前記データオブジェクトに前記操作を実行することと
を備えたことを特徴とする方法。
【請求項２】
前記操作は、データオブジェクトセットの解析、複数のデータオブジェクトセットの同期化、データオブジェクトセットにおけるデータアーカイビング操作、データオブジェクトセットにおけるデータ復元操作、データオブジェクトセットにおけるサーバ配置操作、少なくとも１つの宛先データオブジェクトセットへのソースデータオブジェクトセットのミラーリング、及び新しいアプリケーションバージョンとの互換性を取得するためのデータオブジェクトセットの移行、のうちの少なくとも１つを備えたことを特徴とする請求項１に記載の方法。
【請求項３】
前記適用することは、前記ルールを前記データオブジェクトタイプに順次適用することを備えたことを特徴とする請求項１に記載の方法。
【請求項４】
前記適用することは、前記ルールを前記データオブジェクトタイプにパラレルに適用することを備えたことを特徴とする請求項１に記載の方法。
【請求項５】
前記適用することは、前記ルールの各々を、以前に適用されたルールによっては取り扱われないデータオブジェクトタイプに階層的に適用することを備えたことを特徴とする請求項１に記載の方法。
【請求項６】
前記データオブジェクトにおいてジェネリックなタスクを実行するように構成される少なくとも１つのジェネリックタスクタイプと、
前記データオブジェクトにおいて実行される少なくとも１つのジェネリックタスクタイプを特定する少なくとも１つのルールと
を備えたことを特徴とする請求項１に記載の方法。
【請求項７】
前記データオブジェクトにおいてジェネリックなルールを適用するように構成される少なくとも１つのジェネリックルールタイプと、
前記データオブジェクトに適用される少なくとも１つのジェネリックルールタイプを特定する少なくとも１つの操作と
を備えたことを特徴とする請求項６に記載の方法。
【請求項８】
前記データオブジェクトセットと動作可能に結合される生成コンポーネントによって、前記データオブジェクトを示す階層的なデータオブジェクトセットのマップを生成することを備え、
前記適用することは、前記階層的なデータオブジェクトセットのマップを介して、前記少なくとも１つのルールを前記データオブジェクトタイプに適用することを備えた特徴とする請求項１に記載の方法。
【請求項９】
前記階層的なデータオブジェクトセットのマップは、階層的なデータオブジェクトセット定義に従って、前記データオブジェクトセットから生成されることを特徴とする請求項８に記載の方法。
【請求項１０】
前記データオブジェクトセットは、サーバパスを示す情報に基づいて取得されたデータオブジェクト、データオブジェクトグループ、及び１または複数のデータオブジェクトを参照するリンクデータオブジェクトのうちの少なくとも１つを備えたことを特徴とする請求項１に記載の方法。
【請求項１１】
前記データオブジェクトタイプは、少なくとも１つのカスタムデータオブジェクトタイプまたは少なくとも１つの非標準データオブジェクトタイプを含むことを特徴とする請求項１に記載の方法。
【請求項１２】
データオブジェクトセット内の少なくとも１つの特定のデータオブジェクトタイプに適用される、前記少なくとも１つの特定のデータオブジェクトタイプの少なくとも１つのデータオブジェクトにおいて実行されるタスクを含む少なくとも１つのルールによって、前記データオブジェクトセット内の特定のデータオブジェクトに対して操作を実行させる方法を実行するように構成されたプロセッサ実行可能命令を備えたコンピュータ可読記憶媒体であって、前記方法は、
前記ルールによって特定されるタスクを実行することにより、前記データオブジェクトセット内の少なくとも１つのデータオブジェクトが前記特定のデータオブジェクトタイプであることを判定することと、
前記ルールによって特定されるタスクを実行することにより、前記特定のデータオブジェクトタイプのデータオブジェクトに前記操作を実行することと
を備えたことを特徴とするコンピュータ可読記憶媒体。
【請求項１３】
データオブジェクトセット内の少なくとも１つの特定のデータオブジェクトに対して操作を実行するシステムであって、前記システムは、
前記データオブジェクトセット内の少なくとも１つの特定のデータオブジェクトタイプの少なくとも１つのデータオブジェクトにおいて実行される少なくとも１つのタスクを含む少なくとも１つのルールと、
前記データオブジェクトに、前記少なくとも１つのルールによって特定されるタスクを実行することにより、前記操作を実行するように構成される少なくとも１つのデータオブジェクトマネージャと、
前記データオブジェクトが前記特定のデータオブジェクトタイプであることを判定して、および前記データオブジェクトマネージャ実行するように構成される操作調整コンポーネントと、
を備えたことを特徴とするシステム。
【請求項１４】
前記操作は、データオブジェクトセットの解析、複数のデータオブジェクトセットの同期化、データオブジェクトセットにおけるデータアーカイビング操作、データオブジェクトセットにおけるデータ復元操作、データオブジェクトセットにおけるサーバ配置操作、少なくとも１つの宛先データオブジェクトセットへのソースデータオブジェクトセットのミラーリング、及び新しいアプリケーションバージョンとの互換性を取得するためのデータオブジェクトセットの移行、のうちの少なくとも１つを備えたことを特徴とする請求項１３に記載のシステム。
【請求項１５】
前記データオブジェクトにおいてジェネリックなタスクを実行するように構成される少なくとも１つのジェネリックタスクタイプと、
前記データオブジェクトに適用される少なくとも１つのジェネリックタスクタイプを特定する少なくとも１つのルールと
を備えたことを特徴とする請求項１３に記載のシステム。
【請求項１６】
前記データオブジェクトにおいてジェネリックなルールを適用するように構成される少なくとも１つのジェネリックルールタイプと、
前記データオブジェクトに適用される少なくとも１つのジェネリックルールタイプを特定する少なくとも１つの操作と
を備えたことを特徴とする請求項１５に記載のシステム。
【請求項１７】
前記データオブジェクトセットから階層的なデータオブジェクトセットマップを生成するように構成され、および前記データオブジェクトセットと動作可能に結合される生成コンポーネントをさらに備え、
前記少なくとも１つのデータオブジェクトマネージャが、前記階層的なデータオブジェクトセットマップを介して、前記少なくとも１つのルールを前記データオブジェクトセット内の少なくとも１つのデータオブジェクトタイプのデータオブジェクトに適用し、実行するように構成されることを特徴とする請求項１３に記載のシステム
【請求項１８】
前記生成コンポーネントは、階層的なデータオブジェクトセット定義に従って前記階層的なデータオブジェクトセットマップを生成するように構成されることを特徴とする請求項１７に記載のシステム。
【請求項１９】
前記データオブジェクトセットは、サーバパスを示す情報に基づいて取得されたデータオブジェクト、データオブジェクトグループ及び１または複数のデータオブジェクトを参照するリンクデータオブジェクトのうちの少なくとも１つを備えたことを特徴とする請求項１３に記載のシステム。
【請求項２０】
前記少なくとも１つのデータマネージャに少なくとも１つのカスタムデータオブジェクトマネージャを含めるように構成されるカスタムデータオブジェクトマネージャインタフェースコンポーネントを備えたことを特徴とする請求項１３に記載のシステム。